(57)【要約】【課題】操作性のよいプリンター及びプリンター付きデジタルカメラ、並びに、プリンターの情報表示方法を提供する。【解決手段】プリンター付きデジタルカメラ１において、プリント対象の画像Ｉｍをモニター２２に表示する。モニター２２に表示中の画像Ｉｍがプリントされた場合、表示中の画像Ｉｍの上に重ねてプリントのイメージ画像Ｉｍ１を表示する。そして、そのイメージ画像Ｉｍ１をメディア１１０の排出方向に沿って画像Ｉｍを移動させて、画像を画面から消去する。【選択図】  図１３
2018094840.tif 000002
【特許請求の範囲】
【請求項１】
メディアに画像をプリントするプリント部と、
表示部と、
プリント対象の画像を前記表示部に表示する表示制御部と、
前記表示部に表示されている画像のプリントを指示するプリント指示部と、
前記プリント指示部でプリントが指示された場合に、前記表示部に表示されている画像を前記プリント部にプリントさせるプリント制御部と、
を備え、
前記表示制御部は、前記プリント指示部でプリントが指示された場合、前記表示部に表示されている画像の上に重ねて、プリントのイメージ画像を表示し、前記イメージ画像を前記メディアの排出方向に沿って移動させて画面から消去する、
プリンター。
【請求項２】
前記表示制御部は、前記プリント指示部でプリントが指示された場合、前記表示部に表示されている画像の明度及び／又は彩度を変更する、
請求項１に記載のプリンター。
【請求項３】
前記イメージ画像が、プリントする画像を枠に収めた画像で構成される、
請求項１又は２に記載のプリンター。
【請求項４】
前記表示制御部は、前記プリント指示部でプリントが指示された場合、前記表示部に表示されている画像を徐々に縮小させることにより、前記表示部に表示されている画像の周囲に前記枠を徐々に出現させて、前記イメージ画像を出現させる、
請求項３に記載のプリンター。
【請求項５】
前記表示制御部は、前記メディアの排出速度に同期して前記イメージ画像を移動させて画面から消去する、
請求項１から４のいずれか１項に記載のプリンター。
【請求項６】
前記表示制御部は、前記メディアにプリントされる画像の向きに合わせて、前記イメージ画像を表示する、
請求項１から５のいずれか１項に記載のプリンター。
【請求項７】
前記プリント指示部によるプリントの指示を確定する確定部と、
前記プリント指示部によるプリントの指示をキャンセルするキャンセル部と、
を更に備え、
前記表示制御部は、前記プリント指示部によってプリントが指示されると、プリントの実行を問い合わせるダイアログを前記表示部に表示する、
請求項１から６のいずれか１項に記載のプリンター。
【請求項８】
前記表示制御部は、前記プリント指示部によってプリントが指示されると、前記ダイアログを画面の縁から表示させる、
請求項７に記載のプリンター。
【請求項９】
前記プリント部は、インスタントフィルムに画像をプリントする、
請求項１から８のいずれか１項に記載のプリンター。
【請求項１０】
イメージセンサーと、
画像記憶部と、
撮影を指示する撮影指示部と、
前記撮影指示部による撮影指示に応じて、前記イメージセンサーで画像を撮影し、得られた画像を前記画像記憶部に記憶させる撮影制御部と、
請求項１から９のいずれか１項に記載のプリンターと、
動作モードとして撮影モードと再生モードとを切り換える動作モード切換部と、
を備え、
前記再生モードに設定された場合、前記表示制御部は、プリント対象の画像として前記画像記憶部に記憶されている画像を前記表示部に表示し、かつ、前記表示部に表示されている画像のプリントが指示された場合は、前記表示部に表示されている画像の上に重ねて、プリントのイメージ画像を表示し、前記イメージ画像を前記メディアの排出方向に沿って移動させて画面から消去する、
プリンター付きデジタルカメラ。
【請求項１１】
前記撮影モードとして第１撮影モードと第２撮影モードとを切り換える撮影モード切換部を更に備え、
前記第１撮影モードに設定された場合、撮影が実施されると、前記プリント制御部は、撮影された画像を前記プリント部にプリントさせ、
前記第２撮影モードに設定された場合、撮影が実施されると、前記表示制御部は、撮影された画像をプリント対象の画像として前記表示部に表示し、前記表示部に表示されている画像のプリントが指示されると、前記プリント制御部は、撮影された画像を前記プリント部にプリントさせ、前記表示制御部は、前記表示部に表示されている画像の上に重ねて、プリントのイメージ画像を表示し、前記イメージ画像を前記メディアの排出方向に沿って移動させて画面から消去する、
請求項１０に記載のプリンター付きデジタルカメラ。
【請求項１２】
表示部を備えたプリンターの情報表示方法であって、
プリント対象の画像を前記表示部に表示するステップと、
前記表示部に表示されている画像がプリントされた場合に、前記表示部に表示されている画像の上に重ねて、プリントのイメージ画像を表示し、前記イメージ画像をプリントされたメディアの排出方向に沿って移動させて画面から消去するステップと、
を備えたプリンターの情報表示方法。
【発明の詳細な説明】
【技術分野】
【０００１】
本発明は、プリンター及びプリンター付きデジタルカメラ、並びに、プリンターの情報表示方法に関する。
【背景技術】
【０００２】
プリンター付きデジタルカメラとして、カメラボディーにプリンターを内蔵し、撮影した画像をその場でプリントできるデジタルカメラが知られている。たとえば、特許文献１、２には、撮影した画像をインスタントフィルムにプリントするデジタルカメラが記載されている。
【０００３】
通常、デジタルカメラには、液晶モニター等の表示部が備えられている。このため、プリンターを内蔵したデジタルカメラでは、プリントする画像を表示部に表示させて確認できる。特許文献３には、プリントした画像の確認作業を容易にするため、表示部に表示する画像の向きと、排出口から排出されるメディア上の画像の向きとを一致させることが提案されている。また、特許文献４には、プリントの進行状況を把握できるようにするため、プリントする画像及びプリントの進行状況を表示部に表示することが提案されている。同様に、特許文献５には、プリントの進行状況を把握できるようにするため、プリントの進行状況に合わせてプリントする画像を表示部に徐々にさせることが提案されている。
【０００４】
また、特許文献６には、表示画面を備えたプリンターにおいて、プリントしている様子を画像で表示画面に表示すること、及び、排紙する際に、表示画面に表示している画像を排紙に同期して移動させて画面から消去することが提案されている。
【先行技術文献】
【特許文献】
【０００５】
【特許文献１】特開２００１−２８７０１号公報
【特許文献２】国際公開第９９／５３３７４号
【特許文献３】特開２００６−２７０１７号公報
【特許文献４】特開２００１−３５２４７２号公報
【特許文献５】特開２００２−９４９１０号公報
【特許文献６】特開２００１−２０５９０２号公報
【発明の概要】
【発明が解決しようとする課題】
【０００６】
しかしながら、特許文献１〜５等に記載の従来のプリンター付きデジタルカメラは、メディアの排出方向を把握しにくいという欠点があった。
【０００７】
また、特許文献６に記載のプリンターは、プリントした画像が画面から消去されるため、画面上でプリントした画像を確認できないという欠点がある。
【０００８】
本発明は、このような事情に鑑みてなされたもので、操作性のよいプリンター及びプリンター付きデジタルカメラ、並びに、プリンターの情報表示方法を提供することを目的とする。
【課題を解決するための手段】
【０００９】
上記課題を解決するための手段は、次のとおりである。
【００１０】
（１）メディアに画像をプリントするプリント部と、表示部と、プリント対象の画像を表示部に表示する表示制御部と、表示部に表示されている画像のプリントを指示するプリント指示部と、プリント指示部でプリントが指示された場合に、表示部に表示されている画像をプリント部にプリントさせるプリント制御部と、を備え、表示制御部は、プリント指示部でプリントが指示された場合、表示部に表示されている画像の上に重ねて、プリントのイメージ画像を表示し、イメージ画像をメディアの排出方向に沿って移動させて画面から消去する、プリンター。
【００１１】
本態様によれば、プリント対象の画像が表示部に表示される。表示部に表示された画像をプリントする場合は、プリント指示部でプリントを指示する。プリントが指示されると、表示中の画像がメディアにプリントされて排出される。また、プリントが指示されると、表示部に表示中の画像の上に重ねてプリントのイメージ画像が表示される。表示されたイメージ画像は、メディアの排出方向に沿って移動し、画面から消去される。これにより、表示部の表示から一見してメディアの排出方向を把握できる。また、イメージ画像は、表示部に表示中の画像に重ねて表示される。このイメージ画像の下に重ねて表示される画像は、プリントが指示された画像、すなわち、プリントした画像であり、イメージ画像が移動することにより、画面に現れる。これにより、イメージ画像が消去された後もプリントした画像を確認できる。特に、プリントするメディアにインスタントフィルムを使用する場合、現像が完了するまで時間を要するので、プリントした画像を画面上ですぐに確認できることが有効に作用する。プリントのイメージ画像は、プリントのイメージを表わす画像で構成される。したがって、表示中の画像そのものでもよいし（いわゆる、縁無しプリントをイメージしたもの）、また、枠に収めた画像（いわゆる、枠付きプリントをイメージしたもの）でもよい。
【００１２】
（２）表示制御部は、プリント指示部でプリントが指示された場合、表示部に表示されている画像の明度及び／又は彩度を変更する、上記（１）のプリンター。
【００１３】
本態様によれば、プリント指示部でプリントが指示された場合、表示部に表示されている画像、すなわち、イメージ画像の下に重ねて表示される画像の明度及び／又は彩度が変更される。これにより、イメージ画像と、その下に表示される画像とを容易に区別でき、視認性を向上できる。特に、イメージ画像が、その下に表示される画像と同じ画像で構成される場合、良好な視認性を提供できる。
【００１４】
（３）イメージ画像が、プリントする画像を枠に収めた画像で構成される、上記（１）又は（２）のプリンター。
【００１５】
本態様によれば、イメージ画像が、プリントする画像を枠に収めた画像で構成される。これにより、ユーザーに対してプリントされるイメージをより強く印象づけることができ、より良好で直感的な操作性を実現できる。
【００１６】
（４）表示制御部は、プリント指示部でプリントが指示された場合、表示部に表示されている画像を徐々に縮小させることにより、表示部に表示されている画像の周囲に枠を徐々に出現させて、イメージ画像を出現させる、上記（３）のプリンター。
【００１７】
本態様によれば、プリント指示部でプリントが指示されると、表示部に表示されている画像が徐々に縮小して、プリントのイメージ画像に切り換わる。すなわち、表示部に表示されている画像が徐々に縮小することにより、その周囲に枠が徐々に出現して、プリントのイメージ画像に切り換わる。これにより、枠付きのイメージ画像をスムーズに表示できる。
【００１８】
（５）表示制御部は、メディアの排出速度に同期してイメージ画像を移動させて画面から消去する、上記（１）から（４）のいずれか一のプリンター。
【００１９】
本態様によれば、画像を移動させて画面から消去する際、メディアの排出速度に同期して画像を移動させる。これにより、表示部の表示から一見してメディアの排出状況を把握できる。
【００２０】
（６）表示制御部は、メディアにプリントされる画像の向きに合わせて、イメージ画像を表示する、上記（１）から（５）のいずれか一のプリンター。
【００２１】
本態様によれば、イメージ画像の向きとメディアにプリントされる画像の向きとが合わせられる。これにより、メディアにプリントされる画像の向きを容易に把握できる。
【００２２】
（７）プリント指示部によるプリントの指示を確定する確定部と、プリント指示部によるプリントの指示をキャンセルするキャンセル部と、を更に備え、表示制御部は、プリント指示部によってプリントが指示されると、プリントの実行を問い合わせるダイアログを表示部に表示する、上記（１）から（６）のいずれか一のプリンター。
【００２３】
本態様によれば、プリント指示部によってプリントが指示されると、プリントの実行を問い合わせるダイアログが表示部に表示される。プリントする場合は、確定部でプリントの指示を確定する。一方、プリントをキャンセルする場合は、キャンセル部でプリントをキャンセルする。これにより、誤操作を防止できる。
【００２４】
（８）表示制御部は、プリント指示部によってプリントが指示されると、ダイアログを画面の縁から表示させる、上記（７）のプリンター。
【００２５】
本態様によれば、プリントの実行を問い合わせるダイアログが画面の縁から表示される。これにより、ユーザーの注意を引く表示ができる。ダイアログは、プリント指示部の設置位置から最も近い位置に存在する画面の縁から表示させることが好ましい。
【００２６】
（９）プリント部は、インスタントフィルムに画像をプリントする、上記（１）から（８）のいずれか一のプリンター。
【００２７】
本態様によれば、画像がインスタントフィルムにプリントされる。メディアとしてインスタントフィルムを使用することにより、プリント処理を高速化できる。インスタントフィルムとは、自己現像処理型の写真フィルムをいう。
【００２８】
（１０）イメージセンサーと、画像記憶部と、撮影を指示する撮影指示部と、撮影指示部による撮影指示に応じて、イメージセンサーで画像を撮影し、得られた画像を画像記憶部に記憶させる撮影制御部と、上記（１）から（９）のいずれか一のプリンターと、動作モードとして撮影モードと再生モードとを切り換える動作モード切換部と、を備え、再生モードに設定された場合、表示制御部は、プリント対象の画像として画像記憶部に記憶されている画像を表示部に表示し、かつ、表示部に表示されている画像のプリントが指示された場合は、表示部に表示されている画像の上に重ねて、プリントのイメージ画像を表示し、イメージ画像をメディアの排出方向に沿って移動させて画面から消去する、プリンター付きデジタルカメラ。
【００２９】
本態様によれば、動作モードを撮影モードに設定することで、画像を撮影できる。撮影指示部で撮影が指示されると、イメージセンサーで画像が撮影され、得られた画像が画像記憶部に記憶される。画像記憶部に記憶された画像は、動作モードを再生モードに設定することでプリントできる。再生モードに設定すると、画像記憶部に記憶されている画像が表示部に表示される。表示中の画像に対してプリントが指示されると、メディアにプリントされて排出される。また、プリントが指示されると、表示部に表示中の画像の上に重ねてプリントのイメージ画像が表示される。表示されたイメージ画像は、メディアの排出方向に沿って移動し、画面から消去される。
【００３０】
（１１）撮影モードとして第１撮影モードと第２撮影モードとを切り換える撮影モード切換部を更に備え、第１撮影モードに設定された場合、撮影が実施されると、プリント制御部は、撮影された画像をプリント部にプリントさせ、第２撮影モードに設定された場合、撮影が実施されると、表示制御部は、撮影された画像をプリント対象の画像として表示部に表示し、表示部に表示されている画像のプリントが指示されると、プリント制御部は、撮影された画像をプリント部にプリントさせ、表示制御部は、表示部に表示されている画像の上に重ねて、プリントのイメージ画像を表示し、イメージ画像をメディアの排出方向に沿って移動させて画面から消去する、上記（１０）のプリンター付きデジタルカメラ。
【００３１】
本態様によれば、撮影モードとして、第１撮影モード及び第２撮影モードが備えられる。第１撮影モードの場合、撮影すると、自動的に撮影した画像がプリントされる。第２撮影モードの場合、撮影すると、撮影した画像が表示部に表示される。撮影した画像のプリントは、プリントの指示を待って行われる。プリントが指示されると、撮影された画像がメディアにプリントされて排出される。また、プリントが指示されると、表示部に表示中の画像の上に重ねてプリントのイメージ画像が表示される。表示されたイメージ画像は、メディアの排出方向に沿って移動し、画面から消去される。
【００３２】
（１２）表示部を備えたプリンターの情報表示方法であって、プリント対象の画像を表示部に表示するステップと、表示部に表示されている画像がプリントされた場合に、表示部に表示されている画像の上に重ねて、プリントのイメージ画像を表示し、イメージ画像をプリントされたメディアの排出方向に沿って移動させて画面から消去するステップと、を備えたプリンターの情報表示方法。
【００３３】
本態様によれば、プリント対象の画像が表示部に表示される。表示部に表示された画像がプリントされると、表示部に表示中の画像の上に重ねてプリントのイメージ画像が表示される。表示されたイメージ画像は、メディアの排出方向に沿って移動し、画面から消去される。これにより、表示部の表示から一見してメディアの排出方向を把握できる。また、イメージ画像は、表示部に表示中の画像に重ねて表示される。このイメージ画像の下に重ねて表示される画像は、プリントした画像であり、イメージ画像が移動することにより、画面に現れる。これにより、イメージ画像が消去された後もプリントした画像を確認できる。
【発明の効果】
【００３４】
本発明によれば、メディアの排出方向を容易に把握でき、かつ、プリントした画像を画面上で確認できる。これにより、操作性のよいプリンター及びプリンター付きデジタルカメラを提供できる。
【図面の簡単な説明】
【００３５】
【図１】プリンター付きデジタルカメラの一実施形態を示す正面斜視図
【図２】プリンター付きデジタルカメラの一実施形態を示す背面斜視図
【図３】プリンター付きデジタルカメラの一実施形態を示す正面図
【図４】プリンター付きデジタルカメラの一実施形態を示す背面図
【図５】プリンター付きデジタルカメラの内部の機械的構成を示す図
【図６】インスタントフィルムの正面図
【図７】インスタントフィルムの背面図
【図８】プリンター付きデジタルカメラの電気的構成を示す図
【図９】オートモードでの処理手順を示すフローチャート
【図１０】ライブビュー中のモニターの画面表示の一例を示す図
【図１１】プレビュー中のモニターの画面表示の一例を示す図
【図１２】インスタントフィルムの排出状態を示す図
【図１３】プリントアニメーション処理時のモニターの画面表示の遷移を示す図
【図１４】マニュアルモードでの処理手順を示すフローチャート
【図１５】ダイアログが表示されたモニターの画面表示の一例を示す図
【図１６】再生モードの処理手順を示すフローチャート
【図１７】再生モードに設定された場合のモニターの画面表示の一例を示す図
【図１８】ダイアログが表示されたモニターの画面表示の一例を示す図
【図１９】プリントアニメーション処理時のモニターの画面表示の遷移の変形例を示す図である。
【図２０】プリントのイメージ画像を出現させる場合にアニメーション表示する場合のモニターの画面表示の遷移を示す図
【図２１】インスタントフィルム上の画像の向きとプリントのイメージ画像の向きとを一致させて、プリントのイメージ画像を画面から消去する場合のプリントアニメーションの一例を示す図
【図２２】カメラボディーの底面からインスタントフィルムが排出される場合のプリントアニメーションの一例を示す図
【図２３】カメラボディーの側面からインスタントフィルムが排出される場合のプリントアニメーションの一例を示す図
【図２４】カメラボディーの側面からインスタントフィルムが排出される場合のプリントアニメーションの一例を示す図
【図２５】カメラボディーの側面からインスタントフィルムが排出されるプリンター付きデジタルカメラにおいて、プリントのイメージ画像の向きをインスタントフィルムにプリントされる画像の向きと一致させてから消去する場合のプリントアニメーションの一例を示す図
【発明を実施するための形態】
【００３６】
以下、添付図面に従って本発明の好ましい実施の形態について詳説する。
【００３７】
◆◆プリンター付きデジタルカメラ◆◆
［外観構成］
図１から図４は、プリンター付きデジタルカメラの一実施形態を示す正面斜視図、背面斜視図、正面図、背面図である。
【００３８】
図１から図４に示すプリンター付きデジタルカメラ１は、インスタントフィルムをプリント用のメディアとして使用するプリンター付きデジタルカメラである。なお、図３及び図４において、矢印ｘで示す方向を左右方向とし、矢印ｙで示す方向を上下方向とする。左右方向は、横方向又は幅方向と同義である。また、上下方向は高さ方向と同義である。
【００３９】
プリンター付きデジタルカメラ１は、携帯可能なカメラボディー１０を備える。カメラボディー１０は、正面部に撮影レンズ１２、電源リング１４、第１レリーズボタン１６Ａ、第２レリーズボタン１６Ｂ、フラッシュ１８、及び、補助光ランプ２０を備える。また、カメラボディー１０は、背面部にモニター２２及び背面操作部２４を備える。更に、カメラボディー１０は、右側面部に撮影モード切換レバー２６を備え、天面部にプリント排出口２８を備える。
【００４０】
《カメラボディー》
カメラボディー１０は、全体として丸みを帯びた平たいブロック形状を有する。カメラボディー１０は、左右いずれの手でもグリップできるように、全体として左右対称な形状を有する。
【００４１】
カメラボディー１０は、本体部１０Ａ及び裏蓋部１０Ｂで構成される。裏蓋部１０Ｂは、カメラボディー１０の背面部を構成し、ヒンジ部１０Ｃを介して本体部１０Ａに開閉可能に設けられる。本体部１０Ａには、裏蓋部１０Ｂをロックする裏蓋部ロック機構が備えられる。裏蓋部１０Ｂは、閉じられると、裏蓋部ロック機構によって自動的にロックされる。ロックの解除は、裏蓋部１０Ｂに備えられたスライド式のロック解除レバー３０で行われる。ただし、プリント中は、操作が不能とされる。すなわち、プリント中は、裏蓋部１０Ｂが開けられないように強制的にロックされる。
【００４２】
《撮影レンズ》
撮影レンズ１２は、カメラボディー１０の正面の略中央位置に配置される。撮影レンズ１２は、単焦点レンズで構成される。
【００４３】
《電源リング》
電源リング１４は、プリンター付きデジタルカメラ１の電源をオン及びオフする操作部材である。電源リング１４は、リング形状を有し、撮影レンズ１２の同軸上に配置される。電源リング１４は、撮影レンズ１２の回りを回転操作されて、プリンター付きデジタルカメラ１の電源をオン及びオフする。電源リング１４の可動範囲は制限されており、可動範囲の一端まで回転させると、プリンター付きデジタルカメラ１の電源がオンされ、可動範囲の他端まで回転させると、プリンター付きデジタルカメラ１の電源がオフされる。
【００４４】
《第１レリーズボタン及び第２レリーズボタン》
第１レリーズボタン１６Ａ及び第２レリーズボタン１６Ｂは、撮影を指示する操作部材であり、撮影指示部の一例である。第１レリーズボタン１６Ａ及び第２レリーズボタン１６Ｂは、カメラボディー１０の正面に備えられ、左右対称に配置される。第１レリーズボタン１６Ａ及び第２レリーズボタン１６Ｂは、いわゆる「半押し」と「全押し」が可能な２段ストローク式の押圧ボタンで構成される。プリンター付きデジタルカメラ１は、第１レリーズボタン１６Ａ又は第２レリーズボタン１６Ｂの半押しで撮影準備が行われ、全押しで本撮影が行われる。本撮影とは、画像を記録するための撮影のことである。
【００４５】
《フラッシュ》
フラッシュ１８は、カメラボディー１０の正面に備えられ、撮影レンズ１２の略真上の位置に配置される。フラッシュ１８は、キセノン管で構成される。
【００４６】
《補助光ランプ》
補助光ランプ２０は、ＡＦ（AF : Auto Focus／自動焦点）用の補助光を発光するランプである。補助光ランプ２０は、暗い環境で撮影する場合に発光され、ＡＦの補助に供される。補助光ランプ２０は、ＬＥＤ（LED : Light Emitting Diode／発光ダイオード）で構成され、カメラボディー１０の正面に備えられる。
【００４７】
《モニター》
モニター２２は、表示部の一例である。モニター２２は、カラーＬＣＤ（LCD : Liquid Crystal Display／液晶ディスプレー）で構成される。モニター２２は、カメラボディー１０の背面に備えられる。モニター２２は、いわゆるワイドモニターであり、横長の画面を有する。
【００４８】
《背面操作部》
背面操作部２４は、メニューボタン２４ａ、コマンドダイヤル２４ｂ、及び、６つの機能ボタン２４ｃ１〜２４ｃ６を備える。メニューボタン２４ａ、コマンドダイヤル２４ｂ、及び、６つの機能ボタン２４ｃ１〜２４ｃ６は、同心円状に配置され、全体として円形の操作部を構成する。背面操作部２４は、カメラボディー１０の背面に備えられる。モニター２２と背面操作部２４は、共にカメラボディー１０の背面の幅方向の中央に配置され、上下に並べて配置される。
【００４９】
〈メニューボタン〉
メニューボタン２４ａは、モニター２２にメニュー画面を呼び出すボタンである。メニューボタン２４ａは、円形の押圧ボタンで構成される。メニューボタン２４ａは、背面操作部２４の中央に配置される。メニューボタン２４ａを押圧することにより、モニター２２にメニュー画面が表示される。
【００５０】
メニューボタン２４ａは、ＯＫボタンとしても機能する。ＯＫボタンとは、問い合わせに対してＯＫを指示するボタンである。後述するように、プリントを指示すると、プリントの実行を問い合わせるダイアログがモニター２２に表示される。プリントする場合、ユーザーは、メニューボタン２４ａを押圧して、ＯＫを指示し、プリントの指示を確定する。したがって、本実施の形態のプリンター付きデジタルカメラ１では、メニューボタン２４ａが確定部として機能する。
【００５１】
〈コマンドダイヤル〉
コマンドダイヤル２４ｂは、リング状のタッチセンサーで構成され、その表面を円に沿って撫でることで回転操作される。コマンドダイヤル２４ｂは、十字キーとしての機能も備え、上下左右の４方向に押圧操作可能に構成される。
【００５２】
コマンドダイヤル２４ｂは、メニューボタン２４ａと同軸上に配置され、かつ、メニューボタン２４ａの外周部に配置される。
【００５３】
〈機能ボタン〉
６つの機能ボタン２４ｃ１〜２４ｃ６は、同一円周上に配置され、全体として１つの円を構成する。各ボタンは、同一形状であり、リングを６等分割した形状を有する。各ボタンは、押圧ボタンで構成される。
【００５４】
第１の機能ボタン２４ｃ１は、ビネットボタンとしての機能を有する。ビネットボタンとは、画像にビネット処理を施す機能を呼び出すボタンのことである。ビネット処理とは、画像の周辺を暗くする処理のことである。
【００５５】
第２の機能ボタン２４ｃ２は、エフェクトボタンとしての機能を有する。エフェクトボタンとは、画像にエフェクト処理を施す機能を呼び出すボタンのことである。エフェクト処理とは、画像に一定の効果を与える処理のことであり、たとえば、画像の色調を変更したり、ぼかしたりする処理が該当する。
【００５６】
第３の機能ボタン２４ｃ３は、明るさボタンとしての機能を有する。明るさボタンとは、画像の明るさを変更する機能を呼び出すボタンのことである。
【００５７】
第４の機能ボタン２４ｃ４は、プリントボタンとしての機能を有する。プリントボタンとは、モニター２２に表示中の画像に対してプリントを指示するボタンのことである。第４の機能ボタン２４ｃ４は、プリント指示部の一例である。
【００５８】
第５の機能ボタン２４ｃ５は、バックボタンとしての機能を有する。バックボタンとは、１つ前の状態に戻すことを指示するボタンのことである。１つ前の状態に戻すので、選択した事項、指示した事項等も取り消される。すなわち、第５の機能ボタン２４ｃ５は、キャンセルボタンとしての機能も有する。第５の機能ボタン２４ｃ５は、キャンセル部の一例である。
【００５９】
第６の機能ボタン２４ｃ６は、再生ボタンとしての機能を有する。再生ボタンとは、再生モードへの切り換えを指示するボタンのことである。動作モードが撮影モードに設定されている状態で第６の機能ボタン２４ｃ６を押圧すると、動作モードが再生モードに切り換えられる。
【００６０】
なお、再生モードから撮影モードへの切り換えは、第１レリーズボタン１６Ａ及び第２レリーズボタン１６Ｂで行われる。動作モードが再生モードに設定されている状態で第１レリーズボタン１６Ａ又は第２レリーズボタン１６Ｂが押圧されると、動作モードが撮影モードに切り換えられる。したがって、本実施の形態のプリンター付きデジタルカメラ１では、第６の機能ボタン２４ｃ６、第１レリーズボタン１６Ａ及び第２レリーズボタン１６Ｂが動作モード切換部を構成する。
【００６１】
《撮影モード切換レバー》
撮影モード切換レバー２６は、撮影モード切換部の一例であり、撮影モードを切り換えるための操作部材である。撮影モード切換レバー２６は、スライド式のスイッチで構成され、カメラボディー１０の右側面に備えられる。撮影モード切換レバー２６をスライド操作して、「オート位置」に設定すると、撮影モードが第１撮影モードである「オートモード」に設定される。また、「マニュアル位置」に設定すると、撮影モードが第２撮影モードである「マニュアルモード」に設定される。
【００６２】
オートモードの場合、撮影すると、自動的にプリント処理が実行される。一方、マニュアルモードの場合、撮影すると、撮影した画像がモニター２２に表示され、プリントの指示を待ってプリント処理が実施される。この点については、後に詳述する。
【００６３】
《プリント排出口》
プリント排出口２８は、プリントされたインスタントフィルムの排出口である。プリント排出口２８は、インスタントフィルムが通過可能なスリットとして、カメラボディー１０の天面の幅方向の中央に備えられる。インスタントフィルム１１０は、プリント排出口２８から真上に向けて排出される。
【００６４】
［内部の機械的構成］
図５は、プリンター付きデジタルカメラの内部の機械的構成を示す図である。なお、図５には主要部の構成のみを示している。また、図５において、矢印ｚで示す方向を厚さ方向とする。
【００６５】
プリンター付きデジタルカメラ１の内部には、デジタルカメラに係る構成として、撮影レンズ１２及びイメージセンサー４２が備えられる。また、プリンターに係る構成として、インスタントフィルムパック１００、フィルム装填室５０、フィルム送出機構５２、フィルム搬送機構５４、及び、プリントヘッド５６が備えられる。
【００６６】
《デジタルカメラに係る構成》
〈撮影レンズ〉
撮影レンズ１２は、フォーカスレンズを含む複数のレンズで構成される。なお、図５では簡略化して１枚のレンズのみを図示している。撮影レンズ１２は、フォーカスレンズを光軸に沿って前後移動させることで、焦点調節される。
【００６７】
撮影レンズ１２には、絞り１２ａ及びシャッター１２ｂが備えられる。絞り１２ａによって撮影レンズ１２を通る光の光量が調整される。シャッター１２ｂによって、撮影レンズ１２を通る光が遮光される。
【００６８】
〈イメージセンサー〉
イメージセンサー４２は、たとえば、ＣＣＤイメージセンサー（CCD ： Charge Coupled Device）、ＣＭＯＳイメージセンサー（CMOS : Complementary Metal Oxide Semiconductor）等の二次元の固体撮像素子で構成される。イメージセンサー４２は、使用するインスタントフィルムの露光領域に対応したアスペクト比の撮像領域を有する。
【００６９】
《プリンターに係る構成》
〈インスタントフィルムパック〉
インスタントフィルムパック１００は、複数枚のインスタントフィルム１１０がケース１２０に収容された構造を有する。
【００７０】
図６は、インスタントフィルムの正面図である。図７は、インスタントフィルムの背面図である。
【００７１】
図６及び図７において、矢印Ｆで示す方向が、インスタントフィルム１１０の使用方向である。すなわち、矢印Ｆで示す方向にインスタントフィルム１１０を送り、インスタントフィルム１１０を使用する。したがって、プリンター付きデジタルカメラ１に装填した場合は、矢印Ｆで示す方向が、インスタントフィルム１１０の排出方向となる。
【００７２】
インスタントフィルム１１０は、矩形のカード形状を有する。インスタントフィルム１１０は、裏面側が露光面１１０ａ、正面側が観察面１１０ｂとして構成される。露光面１１０ａが、露光により像を記録する面であり、観察面１１０ｂが、記録された像を観察する面である。
【００７３】
図７に示すように、インスタントフィルム１１０の露光面１１０ａには、露光部１１２、ポッド部１１４、及び、トラップ部１１６が備えられる。
【００７４】
露光部１１２は、露光により画像を記録する部分である。露光部１１２を挟んでポッド部１１４とトラップ部１１６とが前後に配置される。本実施の形態のインスタントフィルム１１０は、アスペクト比が１対１の正方形状の露光部１１２を有する。
【００７５】
ポッド部１１４は、露光部１１２に対して使用方向Ｆの前側に配置される。ポッド部１１４には、現像処理液を内包した現像処理液ポッド１１４ａが内蔵される。
【００７６】
トラップ部１１６は、露光部１１２に対して使用方向Ｆの後側に配置される。トラップ部１１６には、吸収材１１６ａが内蔵される。
【００７７】
図６に示すように、インスタントフィルム１１０の観察面１１０ｂには、観察部１１８が備えられる。観察部１１８は、画像が表示される部分である。露光部１１２を現像処理することにより、観察部１１８に画像が表示される。観察部１１８は、露光部１１２に対応して配置される。観察部１１８の周囲には、枠１１８ａが備えられる。したがって、画像は枠内に表示される。観察部１１８のアスペクト比は、露光部１１２と同じ１対１であり、正方形状を有する。
【００７８】
なお、インスタントフィルム１１０は、トラップ部１１６が上、ポッド部１１４が下となる向きで観賞する。したがって、画像は、トラップ部１１６が上、ポッド部１１４が下となる向きでプリントされる。
【００７９】
インスタントフィルム１１０は、露光後、ポッド部１１４の現像処理液を露光部１１２に展開させることにより現像処理される。ポッド部１１４の現像処理液は、インスタントフィルム１１０をローラー対の間に通すことで、ポッド部１１４から絞り出され、露光部１１２に展開される。展開処理時に余った現像処理液が、トラップ部１１６で捕捉される。
【００８０】
ケース１２０は、矩形の箱形状を有する。ケース１２０は、正面部分に露光用の開口部１２０ａを有し、かつ、天面部分にスリット状の排出口１２０ｂを有する。インスタントフィルム１１０は、露光面１１０ａをケース１２０の正面側に向け、かつ、ポッド部１１４をケース１２０の天面側に向けて、ケース内に重ねて収容される。
【００８１】
また、ケース１２０は、底面部分にスリット状のクロー開口部１２０ｃを有する。ケース１２０に収容されたインスタントフィルム１１０は、このクロー開口部１２０ｃからクローを進入させることにより、１枚ずつ排出口１２０ｂに向けて送られ、排出口１２０ｂから排出される。
【００８２】
１つのインスタントフィルムパック１００には、１０枚のインスタントフィルム１１０が収容される。
【００８３】
〈フィルム装填室〉
フィルム装填室５０は、インスタントフィルムパック１００を収容可能な凹部としてカメラボディー１０の本体部１０Ａに備えられる。カメラボディー１０の裏蓋部１０Ｂを開けると、フィルム装填室５０が露呈し、インスタントフィルムパック１００の装填が可能になる。
【００８４】
〈フィルム送出機構〉
フィルム送出機構５２は、フィルム装填室５０に装填されたインスタントフィルムパック１００からインスタントフィルム１１０を１枚ずつ送り出す。フィルム送出機構５２は、インスタントフィルム１１０の送り方向に沿って前後移動するクロー５２ａを備え、そのクロー５２ａでケース内のインスタントフィルム１１０を１枚ずつ掻き出して、インスタントフィルム１１０をインスタントフィルムパック１００から送り出す。
【００８５】
〈フィルム搬送機構〉
フィルム搬送機構５４は、フィルム送出機構５２によってインスタントフィルムパック１００から送出されたインスタントフィルム１１０を一定速度で搬送する。フィルム搬送機構５４は、搬送ローラー対５４Ａ及び展開ローラー対５４Ｂを備える。
【００８６】
搬送ローラー対５４Ａは、図示しないモーターに駆動されて回転し、インスタントフィルム１１０の両サイドを挟持して搬送する。
【００８７】
展開ローラー対５４Ｂは、図示しないモーターに駆動されて回転し、インスタントフィルム１１０の全体を挟持して搬送する。そして、その搬送過程でインスタントフィルム１１０のポッド部１１４を押し潰して、現像処理液を展開処理する。
【００８８】
〈プリントヘッド〉
プリントヘッド５６は、インスタントフィルムパック１００から送り出されたインスタントフィルム１１０に画像を記録する。プリントヘッド５６は、ライン型の露光ヘッドで構成される。プリントヘッド５６は、フィルム搬送機構５４によって搬送されるインスタントフィルム１１０の露光面１１０ａに１ラインずつプリント光を照射し、１パスでインスタントフィルム１１０に画像を記録する。
【００８９】
本実施の形態のプリンター付きデジタルカメラ１では、フィルム送出機構５２、フィルム搬送機構５４、及び、プリントヘッド５６が、プリント部を構成する。
【００９０】
［電気的構成］
図８は、プリンター付きデジタルカメラの電気的構成を示す図である。なお、図８には、主要部の構成のみを図示している。
【００９１】
プリンター付きデジタルカメラ１は、デジタルカメラに係る構成として、撮影レンズ１２、撮影レンズ駆動部２１２、イメージセンサー４２、イメージセンサー駆動部２１４、アナログ信号処理部２１６、画像データ入力部２１８、デジタル信号処理部２２０、及び、内部メモリー２２２を備える。また、プリンターに係る構成として、フィルム送出機構５２、フィルム送出機構駆動部２３０、フィルム搬送機構５４、フィルム搬送機構駆動部２３２、プリントヘッド５６、プリントヘッド駆動部２３４、プリント用画像信号処理部２３６を備える。更に、デジタルカメラ及びプリンターに共通の構成として、システムコントローラー２４０、ワークメモリー２４２、データメモリー２４４、モニター２２、モニター駆動部２４６、操作部２４８、及び、電源部２５０を備える。システムコントローラー２４０が全体の制御部として機能する。
【００９２】
《デジタルカメラに係る構成》
〈撮影レンズ駆動部〉
撮影レンズ駆動部２１２は、撮影レンズ１２の駆動手段である。撮影レンズ駆動部２１２は、フォーカスレンズを駆動し、絞り１２ａを駆動し、かつ、シャッター１２ｂを駆動する。撮影レンズ駆動部２１２は、システムコントローラー２４０の制御の下、撮影レンズ１２を駆動する。
【００９３】
〈イメージセンサー駆動部〉
イメージセンサー駆動部２１４は、イメージセンサー４２の駆動手段である。イメージセンサー駆動部２１４は、システムコントローラー２４０の制御の下、イメージセンサー４２を駆動する。
【００９４】
〈アナログ信号処理部〉
アナログ信号処理部２１６は、イメージセンサー４２から出力された信号を取り込み、相関二重サンプリング処理、増幅処理等の所要の信号処理を施し、デジタルの画像信号に変換して出力する。
【００９５】
〈画像データ入力部〉
画像データ入力部２１８は、システムコントローラー２４０の制御の下、アナログ信号処理部２１６から出力されるデジタルの画像信号を取り込む。取り込まれた１枚分の画像データは、ワークメモリー２４２に格納される。
【００９６】
〈デジタル信号処理部〉
デジタル信号処理部２２０は、ワークメモリー２４２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【００９７】
また、デジタル信号処理部２２０は、システムコントローラー２４０の制御の下、画像データを加工処理する。
【００９８】
〈内部メモリー〉
内部メモリー２２２は、画像記憶部の一例であり、撮影により得られた画像を記憶する。内部メモリー２２２は、たとえば、ＥＥＰＲＯＭ （ＥＥＰＲＯＭ：Electrically Erasable Programmable Read Only Memory）等の不揮発性メモリーで構成される。
【００９９】
《プリンターに係る構成》
〈フィルム送出機構駆動部〉
フィルム送出機構駆動部２３０は、フィルム送出機構５２の駆動手段である。フィルム送出機構駆動部２３０は、システムコントローラー２４０の制御の下、クロー５２ａを駆動する。
【０１００】
〈フィルム搬送機構駆動部〉
フィルム搬送機構駆動部２３２は、フィルム搬送機構５４の駆動手段である。フィルム搬送機構駆動部２３２は、システムコントローラー２４０からの指令に応じて、搬送ローラー対５４Ａ及び展開ローラー対５４Ｂを回転駆動する。
【０１０１】
〈プリントヘッド駆動部２３４〉
プリントヘッド駆動部２３４は、プリントヘッド５６の駆動手段である。プリントヘッド駆動部２３４は、システムコントローラー２４０の制御の下、プリントヘッド５６を駆動する。
【０１０２】
〈プリント用画像信号処理部〉
プリント用画像信号処理部２３６は、システムコントローラー２４０の制御の下、プリント用の画像データを生成する。プリント用の画像データとは、プリントヘッド５６によってインスタントフィルム１１０に記録するための画像データのことである。プリントヘッド５６は、プリント用画像信号処理部２３６で生成されたプリント用の画像データに基づいて駆動され、インスタントフィルム１１０に画像を記録する。
【０１０３】
《デジタルカメラ及びプリンターに共通の構成》
〈システムコントローラー〉
システムコントローラー２４０は、プリンター付きデジタルカメラ１の全体の制御部である。システムコントローラー２４０は、コンピューターで構成され、所定のプログラムを実行することにより、各種機能を提供する。
【０１０４】
本実施の形態のプリンター付きデジタルカメラ１は、システムコントローラー２４０が、プリント制御部、表示制御部、及び、撮影制御部として機能する。
【０１０５】
〈ワークメモリー〉
ワークメモリー２４２は、作業用のメモリーである。ワークメモリー２４２は、たとえば、ＳＤＲＡＭ（SDRAM : Synchronous Dynamic Random Access Memory）等で構成される。
【０１０６】
〈データメモリー〉
データメモリー２４４は、制御用のプログラム、制御に必要な各種データ等を記憶するメモリーである。データメモリー２４４は、ＥＥＰＲＯＭ等の不揮発性メモリーで構成される。
【０１０７】
〈モニター駆動部〉
モニター駆動部２４６は、モニター２２の駆動手段である。モニター駆動部２４６は、システムコントローラー２４０の制御の下、モニター２２を駆動する。
【０１０８】
〈操作部〉
操作部２４８は、電源リング１４、第１レリーズボタン１６Ａ、第２レリーズボタン１６Ｂ、背面操作部２４、及び、撮影モード切換レバー２６で構成される。操作部２４８は、各操作部材の操作に応じた信号をシステムコントローラー２４０に出力する。
【０１０９】
〈電源部〉
電源部２５０は、システムコントローラー２４０の制御の下、各部に電源を供給する。電源部２５０は、電源としてのバッテリー、及び、電源回路を備える。
【０１１０】
［作用］
プリンター付きデジタルカメラ１は、動作モードとして、撮影モード及び再生モードを有する。プリンター付きデジタルカメラ１は、撮影モードに設定することにより、画像を撮影でき、撮影した画像を内部メモリー２２２に記録できる。また、再生モードに設定することにより、内部メモリー２２２に記録された画像を再生できる。
【０１１１】
撮影モードに設定した場合には、撮影した画像をその場でプリントでき、再生モードに設定した場合には、再生中の画像をプリントできる。
【０１１２】
以下、動作モード別にプリンター付きデジタルカメラ１の動作について説明する。
【０１１３】
《撮影モード》
プリンター付きデジタルカメラ１は、電源を投入すると、撮影モードの状態で起動する。
【０１１４】
プリンター付きデジタルカメラ１は、撮影モードとして、オートモード（第１撮影モード）及びマニュアルモード（第２撮影モード）を有する。オートモードとマニュアルモードとの切り換えは、撮影モード切換レバー２６で行われる。
【０１１５】
オートモードの場合、撮影すると、自動的にプリント処理が実行される。一方、マニュアルモードの場合、撮影すると、撮影した画像がモニター２２に表示され、プリントの指示を待ってプリント処理が実施される。
【０１１６】
〈オートモード〉
図９は、オートモードでの処理手順を示すフローチャートである。
【０１１７】
まず、システムコントローラー２４０は、モニター２２に対してライブビューを行う（ステップＳ１０）。ライブビューとは、イメージセンサー４２で捉えた画像をモニター２２にリアルタイムに表示することである。ライブビューは、スルー表示とも称される。
【０１１８】
図１０は、ライブビュー中のモニターの画面表示の一例を示す図である。
【０１１９】
同図に示すように、モニター２２の画面中央にライブビュー画像ＬＶＩが表示され、その両サイドにサイドバーＳＢＬ、ＳＢＲが表示される。
【０１２０】
画面左側のサイドバーＳＢＬには、設定中の撮影モードの情報が表示される。設定中の撮影モードの情報は、アルファベット１文字で表示され、オートモードの場合は「Ａ」、マニュアルモードの場合は「Ｍ」と表示される。図１０は、オートモードに設定されている場合の画面表示であるため、画面左側のサイドバーＳＢＬには、オートモードを表わす「Ａ」の文字が表示される。
【０１２１】
画面右側のサイドバーＳＢＲには、フィルム残量が表示される。フィルム残量は、ドットで表示される。具体的には、フィルム残量に応じた数のドットが、同一直線上に一定の間隔で表示される。図１０は、フィルム残量が１０枚の場合の例を示している。ドットは、フィルム残量が一定以下になると表示色が変わる。具体的には、フィルム残量が３枚以上の場合は、白色で表示され、２枚以下になると、赤色で表示される。また、フィルム残量が０になると、１０個のグレーのドットが点滅して表示される。インスタントフィルムパック１００が未装填の場合も同様であり、１０個のグレーのドットが点滅して表示される。
【０１２２】
ユーザーは、モニター２２にライブビュー表示される画像を見て構図を決定し、被写体に対する合焦状態を確認する。
【０１２３】
システムコントローラー２４０は、操作部２４８からの信号に基づいて、本撮影の指示の有無を判定する（ステップＳ１１）。そして、本撮影の指示に応じて、本撮影の処理を実施する（ステップＳ１２）。
【０１２４】
本撮影の指示は、第１レリーズボタン１６Ａ又は第２レリーズボタン１６Ｂの全押しで行われる。なお、その前段階として、第１レリーズボタン１６Ａ又は第２レリーズボタン１６Ｂの半押しで撮影準備が行われる。すなわち、測光及び測距が行われ、露出の設定及び焦点合わせが行われる。
【０１２５】
第１レリーズボタン１６Ａ又は第２レリーズボタン１６Ｂの半押し後、全押しすることで、本撮影が指示され、本撮影の処理が実施される（ステップＳ１２）。すなわち、設定された露出でイメージセンサー４２を露光し、記録用の画像を取り込む。取り込んだ画像は、撮影画像として、内部メモリー２２２に記録される（ステップＳ１３）。
【０１２６】
システムコントローラー２４０は、撮影画像をモニター２２にプレビューし（ステップＳ１４）、プリント処理を実行する（ステップＳ１５）。
【０１２７】
図１１は、プレビュー中のモニターの画面表示の一例を示す図である。
【０１２８】
同図に示すように、プレビューすることにより、撮影した画像がモニター２２の画面中央に表示される。
【０１２９】
上記のように、オートモードの場合、撮影すると、自動的にプリント処理が実行される。すなわち、オートモードの場合、撮影の指示が、同時にプリントの指示になる。プリントの指示は、モニター２２にプレビューされた画像に対しに行われる。
【０１３０】
プリント処理は、次の手順で行われる。まず、プリント用画像信号処理部２３６でプリント用の画像データが生成される。次に、フィルム送出機構５２によってインスタントフィルムパック１００からインスタントフィルム１１０が一枚送り出される。インスタントフィルムパック１００から送り出されたインスタントフィルム１１０は、フィルム搬送機構５４によって一定の速度で搬送される。その搬送過程で露光部１１２が、プリントヘッド５６によって露光され、露光面１１０ａに画像が記録される。露光されたインスタントフィルム１１０は、その後、展開ローラー対５４Ｂの間を搬送されることで現像処理され、プリント排出口２８から排出される。
【０１３１】
なお、インスタントフィルム１１０は、トラップ部１１６が上、ポッド部１１４が下となる向きで観賞に供される。したがって、画像は、トラップ部１１６が上、ポッド部１１４が下となる向きでプリントされる。インスタントフィルム１１０は、ポッド部１１４を先頭にしてプリント排出口２８から排出されるので、上下が逆転した状態で排出される。したがって、インスタントフィルム上の画像も上下が逆転している。
【０１３２】
図１２は、インスタントフィルムの排出状態を示す図である。なお、同図は、現像が完全に終了した後の状態を示している。同図において、矢印ｆで示す方向が、インスタントフィルム１１０の排出方向である。
【０１３３】
インスタントフィルム１１０は、カメラボディー１０の天面から排出され、かつ、モニター２２の表示面とほぼ平行に排出される。
【０１３４】
インスタントフィルム１１０の排出方向ｆは、モニター２２の短辺と平行な方向であり、カメラボディー１０の天面から真上に向かう方向である。したがって、モニター２２から見てインスタントフィルム１１０は上方向に排出される。
【０１３５】
また、インスタントフィルム１１０は、観察面１１０ｂをカメラボディー１０の背面側に向けて排出される。すなわち、カメラボディー１０の背面側に画像が表示されるように排出される。
【０１３６】
また、インスタントフィルム１１０は、ポッド部１１４を先頭にして排出される。すなわち、ポッド部１１４を上にして排出される。ここで、上記のように、画像はポッド部１１４を下にしてプリントされる。したがって、インスタントフィルム１１０は、実際に観賞する向きとは、逆向きでカメラボディー１０から排出される。すなわち、画像が下に向いた状態で排出される。
【０１３７】
システムコントローラー２４０は、プリント処理に連動して、プリントアニメーションの処理を実行する（ステップＳ１６）。
【０１３８】
プリントアニメーションの処理は、プリントする画像として、モニター２２にプレビューされている画像の上に重ねてプリントのイメージ画像を表示し、そのイメージ画像をメディアの排出方向に沿って移動させて画面から消去することにより行われる。
【０１３９】
図１３は、プリントアニメーション処理時のモニターの画面表示の遷移を示す図である。同図において、（Ａ）、（Ｂ）、（Ｃ）、（Ｄ）の順で画面の表示が経時的に変化する。同図（Ａ）はプリント開始時、同図（Ｂ）及び（Ｃ）はプリント中（排出中）、同図（Ｄ）はプリント終了時（排出完了時）の画面の表示を示している。
【０１４０】
図１３（Ａ）に示すように、まず、システムコントローラー２４０は、プリントのイメージ画像Ｉｍ１をモニター２２に表示する。プリントのイメージ画像Ｉｍ１とは、出力されるプリントをイメージした画像である。本実施の形態では、プリントする画像を枠Ｆｌに収めた画像でプリントのイメージ画像Ｉｍ１が構成される。枠Ｆｌは、一定の幅を有する白色の枠で構成され、画像の全周を囲むように配置される。
【０１４１】
上記のように、インスタントフィルム１１０にプリントされる画像は、枠１１８ａ内に表示される（図６及び図１２参照）。したがって、プリントのイメージ画像Ｉｍ１も、プリントする画像を枠Ｆｌに収めた画像で構成することにより、当該画像がプリントされることを明確にできる。
【０１４２】
図１３（Ａ）に示すように、プリントのイメージ画像Ｉｍ１は、モニター２２にプレビューされた画像の上に重ねて表示される。したがって、プリントする画像として、モニター２２にプレビューされた画像は、イメージ画像Ｉｍ１に隠れて視認できなくなる。
【０１４３】
この後、システムコントローラー２４０は、図１３（Ｂ）〜（Ｄ）に示すように、インスタントフィルム１１０の排出方向ｆである上方向にイメージ画像Ｉｍ１を移動させて、モニター２２の画面から消去される。このイメージ画像Ｉｍ１の移動は、インスタントフィルム１１０の排出に連動しており、インスタントフィルム１１０の排出の完了と同時に消去も完了する。
【０１４４】
なお、イメージ画像Ｉｍ１が移動するに従って、イメージ画像Ｉｍ１の下に表示されていた画像、プリント対象の画像Ｉｍが徐々に表示されてゆく。
【０１４５】
このように、プリントの画像Ｉｍ１をインスタントフィルム１１０の排出方向に沿って移動させて画面から消去することにより、一見して画像がプリントされることを把握でき、かつ、プリントの排出方向も把握できる。これにより、操作性を向上できる。
【０１４６】
プリントのイメージ画像Ｉｍ１が画面から完全に消去されると、図１３（Ｄ）に示すように、イメージ画像Ｉｍ１の下に隠れていた画像Ｉｍがモニター２２に完全に表示される。この画像Ｉｍは、プリントする画像としてモニター２２にプレビューされていた画像であり、この画像Ｉｍが表示されることにより、ユーザーは、プリントした画像をモニター２２上で確認できる。
【０１４７】
プリント確認用の画像Ｉｍの表示は、一定時間継続して行われる。この後、システムコントローラー２４０は、オートモードが終了したか否かを判断する（ステップＳ１７）。すなわち、操作部２４８からの信号に基づいて、電源がオフされたか否か、モードが切り換えられたか否かを判断する。オートモードが終了したと判断すると、オートモードでの処理を終了する。一方、オートモードが終了していないと判断すると、ステップＳ１０に戻る。この場合、モニター２２の表示が、ライブビューに切り換えられる。
【０１４８】
以上のように、オートモードの場合、撮影すると、自動的に撮影した画像がプリントされる。また、プリントに際して、モニター２２にプリントする画像Ｉｍがプレビューされる。更に、プレビューされた画像Ｉｍの上に重ねてプリントのイメージ画像Ｉｍ１が表示され、インスタントフィルム１１０の排出方向に沿って画面上を移動して消去される。これにより、一見してインスタントフィルム１１０の排出方向を把握できる。また、消去後は、再びプリントした画像Ｉｍがモニター２２に表示されるので、プリントした画像Ｉｍを画面上で確認できる。特に、プリントするメディアにインスタントフィルムを使用する場合、現像が完了するまで（観察面１１０ｂに画像が現れるまで）時間を要するので、プリントした画像を画面上ですぐに確認できることが有効に作用する。
【０１４９】
〈マニュアルモード〉
図１４は、マニュアルモードでの処理手順を示すフローチャートである。
【０１５０】
まず、システムコントローラー２４０は、モニター２２に対してライブビューを行う（ステップＳ２０）。すなわち、イメージセンサー４２で捉えた画像をモニター２２にリアルタイムに表示する。なお、マニュアルモードであるので、画面左側のサイドバーＳＢＬには、マニュアルモードを表わす「Ｍ」の文字が表示される。
【０１５１】
システムコントローラー２４０は、操作部２４８からの信号に基づいて、本撮影の指示の有無を判定する（ステップＳ２１）。そして、本撮影の指示に応じて、本撮影の処理を実施し（ステップＳ２２）、撮影した画像を内部メモリー２２２に記録する（ステップＳ２３）。
【０１５２】
この後、システムコントローラー２４０は、撮影した画像をモニター２２にプレビュー表示する（ステップＳ２４）。そして、プリントの指示の有無を判定する（ステップＳ２５）。
【０１５３】
プリントの指示は、プリントボタンである第４の機能ボタン２４ｃ４を押圧することにより行われる。第４の機能ボタン２４ｃ４が押圧されると、システムコントローラー２４０は、プリントの実行を問い合わせるダイアログをモニター２２に表示させる。
【０１５４】
図１５は、ダイアログが表示されたモニターの画面表示の一例を示す図である。
【０１５５】
同図に示すように、ダイアログＤＬは、半円形状の図形で構成され、画面の下縁から張り出して表示される。ダイアログＤＬには、プリントを表わす図形と「ＰＲＩＮＴ」の文字、バックボタンを表わす図形と「ＢＡＣＫ」の文字、及び、ＯＫボタンを表わす図形と「ＯＫ」の文字が表示される。ダイアログＤＬは、プリント対象の画像である表示中の画像の上に重ねて表示される。ダイアログＤＬが表示されることにより、ユーザーは、ＯＫボタンであるメニューボタン２４ａを押すと、プリントの指示が確定し、バックボタンである第５の機能ボタン２４ｃ５を押すと、プリントの指示がキャンセルされることを把握できる。また、本実施の形態のプリンター付きデジタルカメラ１は、背面操作部２４が円形状であることから、ダイアログＤＬを円の一部である半円形状の図形で構成することにより、ダイアログＤＬの表示と背面操作部２４との関係性を明確にできる。また、背面操作部２４に最も近接する縁である下縁から真上に向けて張り出すようにダイアログＤＬを表示することにより、ダイアログＤＬの表示と背面操作部２４との関係性をより明確にできる。
【０１５６】
ユーザーは、プレビューされている画像をプリントする場合は、プリントボタンである第４の機能ボタン２４ｃ４を押圧し、その後、ダイアログＤＬの表示に従ってＯＫボタンであるメニューボタン２４ａを押圧する。これにより、プリントの指示が確定する。
【０１５７】
プリントを指示した後、思い直してプリントの指示をキャンセルする場合は、バックボタンである第５の機能ボタン２４ｃ５を押圧する。これにより、プリントの指示がキャンセルされる。プリントの指示がキャンセルされると、モニター２２の表示は指示前の状態に復帰する。すなわち、ダイアログＤＬが消去され、撮影画像のみがモニター２２に表示される。
【０１５８】
プリントの指示が確定すると、システムコントローラー２４０は、プリント処理を実行する（ステップＳ２６）。そして、そのプリント処理に連動して、プリントアニメーションの処理を実行する（ステップＳ２７）。すなわち、プレビュー画像中のインスタントフィルム１１０の排出方向ｆに沿って移動させて、画面から消去する。
【０１５９】
この場合、システムコントローラー２４０は、まず、プレビュー中の画像の上に重ねてプリントのイメージ画像を表示し（図１３（Ａ）参照）、その後、イメージ画像をインスタントフィルム１１０の排出方向ｆに沿って移動させて、画面から消去する（図１３（Ｂ）〜（Ｄ）参照）。これにより、モニター２２の表示から一見して画像がプリントされることを把握でき、かつ、プリントの排出方向も把握できる。また、イメージ画像の消去後は、プリントした画像がモニター２２に表示されるので（図１３（Ｄ）参照）、プリントした画像をモニター２２の画面上で再度確認できる。
【０１６０】
プリント確認用の画像（図１３（Ｄ）参照）の表示は、一定時間継続して行われる。この後、システムコントローラー２４０は、マニュアルモードが終了したか否かを判断する（ステップＳ２８）。すなわち、操作部２４８からの信号に基づいて、電源がオフされたか否か、モードが切り換えられたか否かを判断する。マニュアルモードが終了したと判断すると、マニュアルモードでの処理を終了する。一方、マニュアルモードが終了していないと判断すると、ステップＳ２０に戻る。この場合、モニター２２の表示が、ライブビューに切り換えられる。
【０１６１】
なお、ステップＳ２５において、プレビュー中の画像に対するプリントの指示がないと判断すると、システムコントローラー２４０は、プレビュー開始から一定時間が経過したか否かを判定する（ステップＳ２９）。そして、一定時間が経過したと判定すると、マニュアルモードが終了したか否かを判断する（ステップＳ２８）。すなわち、一定時間内にプリントの指示がない場合は、プレビューを終了し、その後の処理に移行する。この場合、撮影された画像のプリントは行われない。
【０１６２】
なお、プレビューは、第１レリーズボタン１６Ａ又は第２レリーズボタン１６Ｂの操作によって強制的に終了させる構成としてもよい。この場合、プレビュー中に第１レリーズボタン１６Ａ又は第２レリーズボタン１６Ｂが半押し又は全押しされると、強制的にプレビューが終了される。
【０１６３】
以上のように、マニュアルモードの場合は、撮影すると、撮影した画像がモニター２２に表示され、プリントの指示を待ってプリント処理が実施される。したがって、マニュアルモードの場合は、プリントを希望する画像のみをプリントできる。また、プリントする場合は、プレビューされた画像の上に重ねてプリントのイメージ画像が表示され、インスタントフィルム１１０の排出方向に沿って画面上を移動して消去される。これにより、一見してインスタントフィルム１１０の排出方向を把握できる。また、消去後は、再びプリントした画像がモニター２２に表示されるので、プリントした画像を画面上で確認できる。
【０１６４】
《再生モード》
プリンター付きデジタルカメラ１は、再生モードに設定することで、内部メモリー２２２に記録されている画像を再生できる。また、再生中に所望の画像をプリントできる。
【０１６５】
図１６は、再生モードの処理手順を示すフローチャートである。
【０１６６】
再生モードに設定されると、システムコントローラー２４０は、内部メモリー２２２に記録されている画像を１枚読み出し、モニター２２に表示する（ステップＳ３０）。読み出す画像は、内部メモリー２２２に最後に記録された画像、すなわち、最後に撮影された画像である。
【０１６７】
図１７は、再生モードに設定された場合のモニターの画面表示の一例を示す図である。
【０１６８】
同図に示すように、モニター２２の画面中央に読み出した画像Ｉｍが表示され、その両サイドにサイドバーＳＢＬ、ＳＢＲが表示される。画面左側のサイドバーＳＢＬには、順方向コマ送りした場合に次に再生される画像の一部（右端部分）が明度を下げて表示される。また、画面右側のサイドバーＳＢＲには、逆方向にコマ送りした場合に次に再生される画像の一部（左端部分）が明度を下げて表示される。
【０１６９】
画像は、コマ送りすることにより、１枚ずつ順番に再生される。再生は、コマ番号順に行われる。コマ番号とは、内部メモリー２２２に記録する画像に付与される番号であり、撮影順に付与される。画像を順方向にコマ送りすると、コマ番号が昇順に再生され、逆方向にコマ送りすると、コマ番号が降順に再生される。
【０１７０】
画像を再生すると、システムコントローラー２４０は、操作部２４８からの信号に基づいて、プリント指示の有無を判定する（ステップＳ３１）。
【０１７１】
プリントの指示は、プリントボタンである第４の機能ボタン２４ｃ４を押圧することにより行われる。第４の機能ボタン２４ｃ４が押圧されると、システムコントローラー２４０は、プリントの実行を問い合わせるダイアログをモニター２２に表示させる。
【０１７２】
図１８は、ダイアログが表示されたモニターの画面表示の一例を示す図である。
【０１７３】
同図に示すように、ダイアログＤＬは、半円形状の図形で構成され、画面の下縁から張り出して表示される。ダイアログＤＬには、プリントを表わす図形と「ＰＲＩＮＴ」の文字、バックボタンを表わす図形と「ＢＡＣＫ」の文字、及び、ＯＫボタンを表わす図形と「ＯＫ」の文字が表示される。ダイアログＤＬは、プリント対象の画像である表示中の画像の上に重ねて表示される。
【０１７４】
ダイアログＤＬが表示されることにより、ユーザーは、ＯＫボタンであるメニューボタン２４ａを押すと、プリントの指示が確定し、バックボタンである第５の機能ボタン２４ｃ５を押すと、プリントの指示がキャンセルされることを把握できる。
【０１７５】
ユーザーは、プリントの指示を確定する場合は、ＯＫボタンであるメニューボタン２４ａを押圧する。これにより、プリントの指示が確定する。
【０１７６】
プリントの指示が確定すると、システムコントローラー２４０は、プリント処理を実行する（ステップＳ３２）。そして、そのプリント処理に連動して、プリントアニメーションの処理を実行する（ステップＳ３３）。すなわち、表示中の画像Ｉｍをインスタントフィルム１１０の排出方向ｆに沿って移動させて、画面から消去する。
【０１７７】
この場合、システムコントローラー２４０は、まず、表示中の画像の上に重ねてプリントのイメージ画像を表示する（図１３（Ａ）参照）。その後、重ねて表示したイメージ画像をインスタントフィルム１１０の排出方向ｆに沿って移動させて、画面から消去する（図１３（Ｂ）〜（Ｄ）参照）。これにより、モニター２２の表示から一見して画像Ｉｍがプリントされることを把握でき、かつ、プリントの排出方向も把握できる。また、イメージ画像が消去された後は、元の画像、すなわち、プリントを指示した画像が再び表示される（図１３（Ｄ）参照）これにより、プリントした画像を再度確認できる。
【０１７８】
この後、システムコントローラー２４０は、操作部２４８からの信号に基づいて、コマ送りの指示の有無を判定する（ステップＳ３４）。
【０１７９】
コマ送りの操作は、コマンドダイヤル２４ｂで行われる。コマンドダイヤル２４ｂを右方向に押圧すると、順方向へのコマ送りが指示される。また、コマンドダイヤル２４ｂを左方向に押圧すると、逆方向へのコマ送りが指示される。画像は１枚ずつコマ送りされる。すなわち、コマンドダイヤル２４ｂを右方向に１回押圧するたびに、画像が１枚ずつ順方向にコマ送りされる。また、コマンドダイヤル２４ｂを左方向に１回押圧するたびに、画像が１枚ずつ逆方向にコマ送りされる。
【０１８０】
システムコントローラー２４０は、操作部２４８からの信号に基づいて、コマ送りの指示の有無を判定する（ステップＳ３４）。そして、コマ送りが指示された場合は、指示された方向にコマ送りする（ステップＳ３５）。すなわち、順方向にコマ送りが指示された場合は、順方向にコマ送りし、逆方向にコマ送りが指示された場合は、逆方向にコマ送りする。
【０１８１】
その後、システムコントローラー２４０は、再生モードが終了したか否かを判断する（ステップＳ３６）。すなわち、操作部２４８からの信号に基づいて、電源がオフされたか否か、モードが切り換えられたか否かを判断する。再生モードが終了したと判断すると、再生モードでの処理を終了する。
【０１８２】
以上のように、再生モードに設定することにより、内部メモリー２２２に記録されている画像をモニター２２で再生できる。また、モニター２２に表示中の画像をプリントできる。また、プリントする場合は、プリントを指示した画像の上に重ねてプリントのイメージ画像が表示され、インスタントフィルム１１０の排出方向に沿って画面上を移動して消去される。これにより、一見してインスタントフィルム１１０の排出方向を把握できる。また、消去後は、再びプリントを指示した画像がモニター２２に表示されるので、プリントした画像を画面上で確認できる。
【０１８３】
◆◆変形例◆◆
［プリントアニメーションの変形例］
《プリントする画像としてモニターに表示中の画像の変形例》
プリントアニメーションの際、イメージ画像の下に重ねて表示する画像の明度及び／又は彩度を変更してもよい。これにより、イメージ画像との区別が容易になり、より操作性を向上できる。
【０１８４】
この場合、システムコントローラー２４０は、プリントが指示されると、モニター２２に表示されている画像、すなわち、プリントが指示された画像の明度及び／又は彩度を変更する。なお、イメージ画像の表示直後は、イメージ画像によって隠れて視認できないので、実際に効果を確認できるのでは、イメージ画像が移動した後である。
【０１８５】
図１９は、プリントアニメーション処理時のモニターの画面表示の遷移の変形例を示す図である。
【０１８６】
同図は、プリントする画像としてモニター２２に表示中の画像Ｉｍの明度を下げる場合の例を示している。同図において、（Ａ）、（Ｂ）、（Ｃ）、（Ｄ）の順で画面の表示が経時的に変化する。同図（Ａ）はプリント開始時、同図（Ｂ）及び（Ｃ）はプリント中（排出中）、同図（Ｄ）はプリント終了時（排出完了時）の画面の表示を示している。
【０１８７】
図１９（Ａ）に示すように、モニター２２に表示中の画像に対してプリントが指示されると、モニター２２に表示中の画像の上にプリントのイメージ画像Ｉｍ１が表示される。
【０１８８】
一方、モニター２２に表示中であった画像（プリントが指示された画像）Ｉｍは、図１９（Ｂ）〜（Ｄ）に示すように、その明度が一定量下げられて表示される。これにより、プリントのイメージ画像Ｉｍ１が重ねて表示された場合であっても、両者を容易に区別できる。また、図１９（Ｄ）に示すように、イメージ画像Ｉｍ１が完全に消去された後も、明度を下げた画像Ｉｍを表示しておくことにより、表示中の画像がプリントされたことを容易に区別できる。
【０１８９】
なお、本例では、明度を下げる構成としているが、彩度を上げる又は下げる構成としてもよいし、明度及び彩度の双方を下げる又は上げる構成としてもよい。すなわち、イメージ画像Ｉｍ１と区別できる表示形態であればよい。
【０１９０】
《プリントのイメージ画像》
プリントのイメージ画像を表示する際、その表示をアニメーションで表示してもよい。たとえば、プリントする画像としてモニター２２に表示されている画像を徐々に縮小させて、その周囲に枠を徐々に出現させて、プリントのイメージ画像をモニターに出現させてもよい。
【０１９１】
図２０は、プリントのイメージ画像を出現させる場合にアニメーション表示する場合のモニターの画面表示の遷移を示す図である。同図において、（Ａ）、（Ｂ）、（Ｃ）、（Ｄ）の順で画面の表示が経時的に変化する。
【０１９２】
図２０（Ａ）〜（Ｄ）に示すように、モニター２２に表示されているプリント対象の画像Ｉｍを徐々に縮小させて、その周囲に枠Ｆｌを徐々に出現させることにより、プリントのイメージ画像Ｉｍ１をモニター２２に出現させる。これにより、プリントのイメージ画像Ｉｍ１をスムーズに表示させることができる。また、アニメーション表示により、ユーザーの注目を喚起でき、操作性をより向上させることができる。
【０１９３】
なお、上記実施の形態では、プリントする画像を枠に収めた画像でプリントのイメージ画像を構成しているが、プリントのイメージ画像は、これに限定されるものではない。たとえば、枠のない画像で構成することもできる（いわゆる、縁無しプリントをイメージした画像）。この場合、プリント指示された画像と同じ画像がプリントのイメージ画像となる。
【０１９４】
また、上記実施の形態では、一定幅の枠を表示しているが、枠を表示する場合、使用するインスタントフィルムの枠に合わせて、上下で幅（余白の幅）の異なる枠を表示してもよい。
【０１９５】
《画像の表示方向》
本実施の形態のプリンター付きデジタルカメラ１は、モニター２２に表示される画像の向きと、プリント排出口２８から排出されるインスタントフィルム上の画像の向きとが異なる。このようにモニター上の画像の向きとインスタントフィルム上の画像の向きとが異なる場合は、プリントのイメージ画像の向きをインスタントフィルム上の画像の向きと一致させてから、プリントのイメージ画像を画面から消去する構成としてもよい。
【０１９６】
図２１は、インスタントフィルム上の画像の向きとプリントのイメージ画像の向きとを一致させて、プリントのイメージ画像を画面から消去する場合のプリントアニメーションの一例を示す図である。同図において、（Ａ）、（Ｂ）、（Ｃ）、（Ｄ）の順で画面の表示が経時的に変化する。
【０１９７】
同図（Ａ）は、プリントが指示された直後の画面の表示を示している。同図に示すように、プリントが指示されることにより、モニター２２に表示中の画像に重ねてプリントのイメージ画像Ｉｍ１が表示される。
【０１９８】
この後、同図（Ｂ）に示すように、プリントのイメージ画像Ｉｍ１が回転して、その向きが変えられ、インスタントフィルム１１０にプリントされる画像の向きと合わせられる。具体的には、１８０度回転して、画像Ｉｍの上下が反転される。上記のように、プリント排出口２８から排出されるインスタントフィルム１１０には、画像が下向きにプリントされる。したがって、プリントのイメージ画像Ｉｍ１の上下を反転させることにより、モニター２２に表示されるイメージ画像Ｉｍ１の向きと、インスタントフィルム１１０にプリントされる画像の向きとを一致させることができる。
【０１９９】
この後、同図（Ｃ）及び（Ｄ）に示すように、インスタントフィルム１１０の排出に連動して、プリントのイメージ画像Ｉｍ１がインスタントフィルム１１０の排出方向に沿って移動し、画面から消去される。
【０２００】
なお、図２１（Ｂ）〜（Ｄ）に示すように、イメージ画像Ｉｍ１の下に表示される画像、すなわち、プリントが指示された画像Ｉｍは、回転させられずに、そのままの状態で表示される。これにより、プリントされた画像Ｉｍを容易に確認できる。
【０２０１】
このように、モニター２２に表示されるプリントのイメージ画像Ｉｍ１の向きとインスタントフィルム１１０にプリントされる画像の向きとを一致させることにより、インスタントフィルム１１０にプリントされる画像の向きを容易に把握できる。
【０２０２】
［インスタントフィルムの排出方向］
上記実施の形態では、インスタントフィルム１１０をカメラボディー１０の天面から上方向に排出する構成としているが、インスタントフィルム１１０を排出する方向は、これに限定されるものではない。この他、たとえば、カメラボディー１０の底面から下方向に排出する構成、右側面から右方向に排出する構成、左側面から左方向に排出する構成等を採用できる。プリントのイメージ画像をモニター２２から消去する場合は、インスタントフィルム１１０の排出方向に沿ってプリントのイメージ画像を移動させて消去する。
【０２０３】
図２２は、カメラボディーの底面からインスタントフィルムが排出される場合のプリントアニメーションの一例を示す図である。同図において、（Ａ）、（Ｂ）、（Ｃ）、（Ｄ）の順で画面の表示が経時的に変化する。同図（Ａ）はプリント開始時、同図（Ｂ）及び（Ｃ）はプリント中（排出中）、同図（Ｄ）はプリント終了時（排出完了時）の画面の表示を示している。
【０２０４】
同図に示すプリンター付きデジタルカメラ１は、カメラボディー１０の底面にプリント排出口が備えられている。プリントされたインスタントフィルム１１０は、カメラボディー１０の底面から真下に向けて排出される。同図において、矢印ｆで示す方向が、インスタントフィルム１１０の排出方向である。
【０２０５】
この場合、同図（Ａ）〜（Ｄ）に示すように、プリントのイメージ画像Ｉｍ１は、インスタントフィルム１１０の排出方向である下方向に移動して、画面から消去される。
【０２０６】
図２３は、カメラボディーの側面からインスタントフィルムが排出される場合のプリントアニメーションの一例を示す図である。同図において、（Ａ）、（Ｂ）、（Ｃ）の順で画面の表示が経時的に変化する。同図（Ａ）はプリント開始時、同図（Ｂ）及び（Ｃ）はプリント中（排出中）の画面の表示を示している。
【０２０７】
同図に示すプリンター付きデジタルカメラ１は、カメラボディー１０の背面から見て左側の側面にプリント排出口が備えられている。プリントされたインスタントフィルム１１０が、カメラボディー１０の背面から見て左側の側面から左方向に向けて排出される。同図において、矢印ｆで示す方向が、インスタントフィルム１１０の排出方向である。
【０２０８】
この場合、同図（Ａ）〜（Ｃ）に示すように、プリントのイメージ画像Ｉｍ１は、インスタントフィルム１１０の排出方向である左方向に移動して、画面から消去される。
【０２０９】
図２４は、カメラボディーの側面からインスタントフィルムが排出される場合のプリントアニメーションの一例を示す図である。同図において、（Ａ）、（Ｂ）、（Ｃ）の順で画面の表示が経時的に変化する。同図（Ａ）はプリント開始時、同図（Ｂ）及び（Ｃ）はプリント中（排出中）の画面の表示を示している。
【０２１０】
同図に示すプリンター付きデジタルカメラ１は、カメラボディー１０の背面から見て右側の側面にプリント排出口が備えられている。プリントされたインスタントフィルム１１０が、カメラボディー１０の背面から見て右側の側面から右方向に向けて排出される。同図において、矢印ｆで示す方向が、インスタントフィルム１１０の排出方向である。
【０２１１】
この場合、同図（Ａ）〜（Ｃ）に示すように、プリントのイメージ画像Ｉｍ１は、インスタントフィルム１１０の排出方向である右方向に移動して、画面から消去される。
【０２１２】
このように、プリントのイメージ画像Ｉｍ１をモニター２２から消去する場合は、インスタントフィルム１１０の排出方向に沿って画像を移動させて、画面から消去する。
【０２１３】
なお、上記の例では、プリントのイメージ画像Ｉｍ１の向きを変えずに、画像を移動させて、画面から消去しているが、イメージ画像Ｉｍ１の向きをインスタントフィルム１１０にプリントされる画像の向きと一致させてから画像を消去する構成としてもよい。
【０２１４】
図２５は、カメラボディーの側面からインスタントフィルムが排出されるプリンター付きデジタルカメラにおいて、プリントのイメージ画像の向きをインスタントフィルムにプリントされる画像の向きと一致させてから消去する場合のプリントアニメーションの一例を示す図である。同図において、（Ａ）、（Ｂ）、（Ｃ）の順で画面の表示が経時的に変化する。
【０２１５】
同図に示すプリンター付きデジタルカメラ１は、カメラボディー１０の背面から見て左側の側面にプリント排出口が備えられ、左方向に向けてインスタントフィルム１１０が排出される。この場合、プリント排出口から排出されるインスタントフィルム上の画像の向きは横方向であり、右向きになる。
【０２１６】
図２５（Ａ）は、プリントが指示された直後の画面の表示を示している。同図に示すように、プリントが指示されることにより、表示中の画像の上にプリントのイメージ画像Ｉｍ１が重ねて表示される。
【０２１７】
この後、同図（Ｂ）に示すように、プリントのイメージ画像Ｉｍ１が回転して、向きが変えられ、インスタントフィルム１１０にプリントされる画像の向きと合わせられる。具体的には、時計回りに９０度回転して、プリントのイメージ画像Ｉｍ１の向きが右向きにされる。これにより、モニター２２に表示されるイメージ画像Ｉｍ１の向きと、インスタントフィルム１１０にプリントされる画像の向きとを一致させることができる。
【０２１８】
この後、同図（Ｃ）に示すように、インスタントフィルム１１０の排出に連動して、プリントのイメージ画像Ｉｍ１がインスタントフィルム１１０の排出方向に沿って移動し、画面から消去される。
【０２１９】
このように、プリントのイメージ画像Ｉｍ１の向きとインスタントフィルム１１０にプリントされる画像の向きとを一致させることにより、インスタントフィルム１１０にプリントされる画像の向きを容易に把握できる。
【０２２０】
《画像の移動》
プリントのイメージ画像を画面から消去する際、インスタントフィルムの排出速度に同期して画像を移動させて、画面から消去することが好ましい。これにより、モニター２２の表示から一見してインスタントフィルム１１０の排出状況を把握できる。
【０２２１】
［プリントする画像］
上記実施の形態では、１つのインスタントフィルムに１つの画像をプリントする場合を例に説明したが、１つのインスタントフィルムに複数枚の画像をプリントできるようにしてもよい（いわゆる分割プリント）。この場合、１画面を複数の領域に分割し、各領域に画像を当てはめて１枚の画像を生成する。また、この場合、生成された画像がプリント対象の画像となり、プリントのイメージ画像を構成する画像となる。
【０２２２】
また、画像を加工してプリントできるようにしてもよい。たとえば、マニュアルモードの場合、プレビューした撮影画像を加工してプリントできるようにする。この場合、加工後の画像をプリントし、かつ、内部メモリー２２２に記録する。また、再生モードの場合は、再生中の画像に対して加工し、プリントできるようにする。また、この場合、加工された画像がプリント対象の画像となり、プリントのイメージ画像を構成する画像となる。
【０２２３】
［プリントする画像の取得方法］
上記実施の形態では、撮影した画像をプリントする場合を例に説明したが、外部機器から取得した画像をプリントできる構成とすることもできる。この場合、外部機器と通信する通信部が備えられる。
【０２２４】
［記憶部の変形例］
上記実施の形態では、撮影した画像を内部メモリー２２２に記録する構成としているが、メモリーカード等の着脱可能なストレージデバイスに記録する構成とすることもできる。この場合、カメラボディー１０にカードスロットが備えられる。
【０２２５】
［プリンター単体への適用］
上記実施の形態では、本発明をプリンター付きデジタルカメラに適用した場合を例に説明したが、本発明の適用は、これに限定されるものではない。プリンター単体でも適用できる。
【０２２６】
［プリント方式］
上記実施の形態では、メディアとしてインスタントフィルムを使用し、露光ヘッドを用いて画像をプリントする場合を例に説明したが、使用するメディア、及び、プリントの方式は、これに限定されるものではない。この他、たとえば、メディアとして感熱紙を使用し、サーマルヘッドを用いて画像をプリントする構成とすることもできる。また、インクリボンとサーマルヘッドとを使用してメディアにプリントする構成、インクジェットヘッドを使用してメディアにプリントする構成とすることもできる。
【０２２７】
［その他の変形例］
バッテリーの残量を監視し、バッテリー残量が一定以下になると、プリントの受け付けを停止するようにしてもよい。これにより、プリント中にバッテリーが切れるのを防止できる。
【符号の説明】
【０２２８】
１  プリンター付きデジタルカメラ
１０  カメラボディー
１０Ａ  本体部
１０Ｂ  裏蓋部
１０Ｃ  ヒンジ部
１２  撮影レンズ
１２ａ  絞り
１２ｂ  シャッター
１４  電源リング
１６Ａ  第１レリーズボタン
１６Ｂ  第２レリーズボタン
１８  フラッシュ
２０  補助光ランプ
２２  モニター
２４  背面操作部
２４ａ  メニューボタン
２４ｂ  コマンドダイヤル
２４ｃ１  第１の機能ボタン
２４ｃ２  第２の機能ボタン
２４ｃ３  第３の機能ボタン
２４ｃ４  第４の機能ボタン
２４ｃ５  第５の機能ボタン
２４ｃ６  第６の機能ボタン
２６  撮影モード切換レバー
２８  プリント排出口
３０  ロック解除レバー
４２  イメージセンサー
５０  フィルム装填室
５２  フィルム送出機構
５２ａ  クロー
５４  フィルム搬送機構
５４Ａ  搬送ローラー対
５４Ｂ  展開ローラー対
５６  プリントヘッド
１００  インスタントフィルムパック
１１０  インスタントフィルム
１１０ａ  露光面
１１０ｂ  観察面
１１２  露光部
１１４  ポッド部
１１４ａ  現像処理液ポッド
１１６  トラップ部
１１６ａ  吸収材
１１８  観察部
１１８ａ  枠
１２０  ケース
１２０ａ  開口部
１２０ｂ  排出口
１２０ｃ  クロー開口部
２１２  撮影レンズ駆動部
２１４  イメージセンサー駆動部
２１６  アナログ信号処理部
２１８  画像データ入力部
２２０  デジタル信号処理部
２２２  内部メモリー
２３０  フィルム送出機構駆動部
２３２  フィルム搬送機構駆動部
２３４  プリントヘッド駆動部
２３６  プリント用画像信号処理部
２４０  システムコントローラー
２４２  ワークメモリー
２４４  データメモリー
２４６  モニター駆動部
２４８  操作部
２５０  電源部
ＤＬ  ダイアログ
Ｆ  インスタントフィルムの使用方向
ｆ  インスタントフィルムの排出方向
Ｆｌ  画像を囲う枠
Ｉｍ  画像
Ｉｍ１  プリントのイメージ画像
ＬＶＩ  ライブビュー画像
ＳＢＬ  左側のサイドバー
ＳＢＲ  右側のサイドバー
Ｓ１０−Ｓ１７  オートモードでの処理手順
Ｓ２０−Ｓ２９  マニュアルモードでの処理手順
Ｓ３０−Ｓ３６  再生モードの処理手順
【図１】
2018094840.tif 000003
【図２】
2018094840.tif 000004
【図３】
2018094840.tif 000005
【図４】
2018094840.tif 000006
【図５】
2018094840.tif 000007
【図６】
2018094840.tif 000008
【図７】
2018094840.tif 000009
【図８】
2018094840.tif 000010
【図９】
2018094840.tif 000011
【図１０】
2018094840.tif 000012
【図１１】
2018094840.tif 000013
【図１２】
2018094840.tif 000014
【図１３】
2018094840.tif 000015
【図１４】
2018094840.tif 000016
【図１５】
2018094840.tif 000017
【図１６】
2018094840.tif 000018
【図１７】
2018094840.tif 000019
【図１８】
2018094840.tif 000020
【図１９】
2018094840.tif 000021
【図２０】
2018094840.tif 000022
【図２１】
2018094840.tif 000023
【図２２】
2018094840.tif 000024
【図２３】
2018094840.tif 000025
【図２４】
2018094840.tif 000026
【図２５】
2018094840.tif 000027